(57)【要約】【課題】配列された複数の吸引ノズルのうち、使用しない吸引ノズルでは使用者が操作しなくても吸引停止となる簡単な構成の吸引具および分注装置を提供することを課題とする。【解決手段】吸引具１０は、吸引口部１２が配列されているベース部材１４と、各吸引口部にそれぞれ接続されている吸引ノズル１６とを備える。吸引ノズル１６は、ノズル基端側部材１８と、頭部２０ｔがノズル基端側部材１８よりも吸引ノズル先端側へ突出していて、ノズル基端側部材１８に対して進退動可能に設けられた進退動部材２０と、進退動部材２０をノズル先端方向へ付勢する圧縮コイルバネ２２と、ノズル基端側部材１８と進退動部材２０と圧縮コイルバネ２２とによって形成され、進退動部材２０が延出し端Ｅに位置するときには吸引口Ｍと吸引口部１２とを非連通にし、進退動部材２０が吸引ノズル基端側へ移動すると吸引口Ｍと吸引口部１２とを連通にする切替機構２４とを備える。【選択図】図１
2020142186.tif 000002
【特許請求の範囲】
【請求項１】
吸引口部が配列されているベース部材と、前記ベース部材の各吸引口部にそれぞれ接続されている吸引ノズルとを備えた吸引具であって、
前記吸引ノズルは、
前記吸引口部に接続されるノズル基端側部材と、
頭部が前記ノズル基端側部材よりも吸引ノズル先端側へ突出していて、前記ノズル基端側部材に対して進退動可能に設けられた進退動部材と、
前記進退動部材をノズル先端方向へ付勢する付勢部材と、
前記ノズル基端側部材と前記進退動部材と前記付勢部材とによって形成され、前記進退動部材が延出し端に位置するときには前記吸引ノズルの吸引口と前記ベース部材の前記吸引口部とを非連通にし、前記進退動部材が吸引ノズル基端側へ移動すると前記吸引ノズルの吸引口と前記ベース部材の前記吸引口部とを連通にする切替機構と
を備えることを特徴とする吸引具。
【請求項２】
前記ノズル基端側部材は、前記進退動部材を挿通させ、かつ、吸引チップの装着用開口部を先端側に装着可能なノズル基端側頭部部材を備え、
吸引チップ内側が前記進退動部材に当接して前記進退動部材が後退して、前記ノズル基端側頭部部材の先端側に吸引チップが装着されることを特徴とする請求項１に記載の吸引具。
【請求項３】
前記ベース部材には、前記吸引ノズルを下向きにしたときに上側中央部から上方に延びている支持部が設けられ、
前記支持部を下方へ押圧することで、前記吸引ノズルの下方に配列された吸引チップが前記ノズル基端側頭部部材に装着される構成にされていることを特徴とする請求項２に記載の吸引具。
【請求項４】
前記吸引口部に連通するエジェクタ部またはアスピレータ部が前記ベース部材の内部に配列され、
前記エジェクタ部または前記アスピレータ部で発生する吸引力が前記吸引口部に作用することを特徴とする請求項１〜３の何れか１項に記載の吸引具。
【請求項５】
請求項１〜４の何れか１項に記載の吸引具を備えることを特徴とする分注装置。
【請求項６】
前記吸引ノズルをそれぞれ挿通させる挿通孔が配列されて前記ノズル基端側部材に対して進退動可能に設けられた分離板を備え、
前記分離板が吸引ノズル先端側へ移動することで、前記進退動部材に装着された吸引チップに当接して前記進退動部材から吸引チップが外れることを特徴とする請求項５に記載の分注装置。
【発明の詳細な説明】
【技術分野】
【０００１】
本発明は、吸引ノズルが配列されている吸引具および分注装置に関する。
【背景技術】
【０００２】
吸引面側に吸引ノズルが配列され、吸引チップが各吸引ノズルに着脱自在に装着可能となっている吸引具が知られている（例えば特許文献１参照）。
【０００３】
このような吸引具としては、例えば、検体の上澄み液などを吸引する吸引具として使用されている。
【０００４】
一例としては、吸引具の使用時には、各吸引ノズルにそれぞれ吸引チップを装着し、吸引ノズルを下向きにして、ラックなどに配列された各試験管の上方に吸引ノズルを配置する。そして、吸引具を下降させて各試験管内に各吸引チップを同時に挿入し、各検体の上澄み液を各吸引チップから吸引する。
【先行技術文献】
【特許文献】
【０００５】
【特許文献１】特開２０１３−６６８５１号公報
【発明の概要】
【発明が解決しようとする課題】
【０００６】
ところで、試験管を立てておくラックの形状や検体の試験内容によっては、一部の吸引ノズルを使用せずに検査をする場合がある。この場合、使用しない吸引ノズル（以下、不使用吸引ノズルという）を開放状態にしておくと、不使用吸引ノズルから空気を吸引してしまうので、他の吸引ノズルの吸引作用に支障が生じることが多い。このため、不使用吸引ノズルに蓋をする等の新たな作業が必要になる。
【０００７】
そこで、本発明は、配列された複数の吸引ノズルのうち、使用しない吸引ノズルでは使用者が操作しなくても吸引停止となる簡単な構成の吸引具および分注装置を提供することを課題とする。
【課題を解決するための手段】
【０００８】
上記課題を解決するために、本発明に係る吸引具は、吸引口部が配列されているベース部材と、前記ベース部材の各吸引口部にそれぞれ接続されている吸引ノズルとを備えた吸引具であって、前記吸引ノズルは、前記吸引口部に接続されるノズル基端側部材と、頭部が前記ノズル基端側部材よりも吸引ノズル先端側へ突出していて、前記ノズル基端側部材に対して進退動可能に設けられた進退動部材と、前記進退動部材をノズル先端方向へ付勢する付勢部材と、前記ノズル基端側部材と前記進退動部材と前記付勢部材とによって形成され、前記進退動部材が延出し端に位置するときには前記吸引ノズルの吸引口と前記ベース部材の前記吸引口部とを非連通にし、前記進退動部材が吸引ノズル基端側へ移動すると前記吸引ノズルの吸引口と前記ベース部材の前記吸引口部とを連通にする切替機構とを備えることを特徴とする。
【０００９】
また、本発明に係る分注装置は、本発明に係る吸引具を備えることを特徴とする。
【発明の効果】
【００１０】
本発明によれば、配列された複数の吸引ノズルのうち、使用しない吸引ノズルでは使用者が操作しなくても吸引停止となる簡単な構成の吸引具および分注装置を提供することができる。
【図面の簡単な説明】
【００１１】
【図１】第１実施形態に係る吸引具の斜視図である。
【図２】第１実施形態に係る吸引具の底面図である。
【図３】第１実施形態に係る吸引具で、吸引チップが吸引ノズルに装着されることを説明する展開図である。
【図４】第１実施形態に係る吸引具で、（ａ）は吸引ノズルに吸引チップが装着される前の状態を説明する側面断面図、（ｂ）は吸引ノズルに吸引チップが装着された後の状態を説明する側面断面図である。
【図５】図４（ｂ）の部分拡大図である。
【図６】第１実施形態に係る吸引具で、検体を収容した試験管内に吸引チップを下降させて上澄み液を吸引することを説明する模式的な側面図である。
【図７】第１実施形態の変形例の吸引具で、（ａ）は吸引ノズルに吸引チップが装着される前の状態を説明する側面断面図、（ｂ）は吸引ノズルに吸引チップが装着された後の状態を説明する側面断面図である。
【図８】図７（ｂ）の部分拡大図である。
【図９】第２実施形態に係る分注装置を説明する斜視図である。
【発明を実施するための形態】
【００１２】
以下、実施形態を挙げ、添付図面を参照しつつ本発明の実施の形態について説明する。
【００１３】
［第１実施形態］
まず、第１実施形態を説明する。図１は、本実施形態に係る吸引具の斜視図である。図２は、本実施形態に係る吸引具の底面図である。図３は、本実施形態に係る吸引具で、吸引チップが吸引ノズルに装着されることを説明する展開図である。図４は、本実施形態に係る吸引具で、（ａ）は吸引ノズルに吸引チップが装着される前の状態を説明する側面断面図、（ｂ）は吸引ノズルに吸引チップが装着された後の状態を説明する側面断面図である。図５は、図４（ｂ）の部分拡大図である。
【００１４】
図１〜図５に示すように、本実施形態に係る吸引具１０は、吸引口部１２が配列されているベース部材１４と、ベース部材１４の各吸引口部１２にそれぞれ接続されている吸引ノズル１６とを備える。
【００１５】
吸引ノズル１６は、吸引口部１２に接続されるノズル基端側部材１８と、頭部がノズル基端側部材１８よりも吸引ノズル先端側へ突出していて、ノズル基端側部材１８に対して進退動可能に設けられた進退動部材２０と、進退動部材２０に当接してノズル先端方向へ付勢する圧縮コイルバネ２２（付勢部材）と、ノズル基端側部材１８と進退動部材２０と圧縮コイルバネ２２とによって形成され、進退動部材２０からの吸引開始、吸引停止を切り替える切替機構２４とを備える。
【００１６】
図４、図５に示すように、進退動部材２０は、吸引チップＴが当接可能な上記の頭部２０ｔを有する先端側進退動部材２０ｐと、先端側進退動部材２０ｐの後部側（図４での上部側）に固定され、ノズル基端側部材１８を挿通している棒状の後部側進退動部材２０ｑと、を備える。先端側進退動部材２０ｐは、上記の頭部２０ｔと、頭部２０ｔの後部側から延び出して後部側進退動部材２０ｑを固定している基部２０ｋとを備える。
【００１７】
ノズル基端側部材１８は、基部２０ｋおよび後部側進退動部材２０ｑを進退動可能に挿通させるノズル基端側頭部部材１８ｐと、ノズル基端側頭部部材１８ｐの後部（図４では上部）を固定しているノズル基端側主部部材１８ｑとを備える。
【００１８】
ノズル基端側頭部部材１８ｐの先端部１８ｐｔの形状は、吸引チップＴが装着され易いように吸引チップＴの装着用開口部Ｔｍの形状に応じて決められており、また、各種の吸引チップに応じて、ノズル基端側頭部部材１８ｐや先端側進退動部材２０ｐを交換することが可能になっている。そして、後部側進退動部材２０ｑは、ノズル基端側頭部部材１８ｐの基端側開口１８ｍを挿通している。
【００１９】
ノズル基端側主部部材１８ｑには、後部側進退動部材２０ｑを進退動可能に挿通させる挿通孔１８ｑｈが形成されている。そして、挿通孔１８ｑｈと後部側進退動部材２０ｑとの間には、断面リング状の円筒状吸引路Ｇａが形成されている。
【００２０】
そして、ノズル基端側頭部部材１８ｐとノズル基端側主部部材１８ｑとによって、Ｘリング１９（シール部材）を保持する保持部Ｈが形成されている。後部側進退動部材２０ｑはこのＸリング１９を挿通している。
【００２１】
また、後部側進退動部材２０ｑには、先端側進退動部材２０ｐの吸引路に連通して後部側進退動部材２０ｑの長手方向に沿って延びる縦方向吸引路Ｇｂと、縦方向吸引路Ｇｂの後端側で上記長手方向に直交する方向（図４で左右方向）に延びて後部側進退動部材２０ｑの外周側に開口している横方向吸引路Ｇｃとが形成されている。
【００２２】
また、圧縮コイルバネ２２の内側には、後部側進退動部材２０ｑを挿通させて圧縮コイルバネ２２の下端側を支える受け部２３が配置されている。後部側進退動部材２０ｑは、この受け部２３を進退動可能に挿通している。
【００２３】
そして、後部側進退動部材２０ｑの外周部であって受け部２３とノズル基端側部材１８との間には、抜け止め用のＥリング２５が取付けられている。
【００２４】
このような構成により、吸引チップ内側が進退動部材２０の頭部２０ｔに当接して進退動部材２０が後退し（すなわち上昇し）、ノズル基端側頭部部材１８ｐの先端側に吸引チップＴが装着されるようになっている。
【００２５】
そして、進退動部材２０が延出し端Ｅ（図１、図４（ａ）参照）に位置するときには、横方向吸引路ＧｃはＸリング１９よりも上方には位置せず、従って、横方向吸引路Ｇｃは円筒状吸引路Ｇａに連通していない。従って、切替機構２４は、進退動部材２０の吸引口Ｍとベース部材１４の吸引口部１２とを非連通にしている（図４（ａ）参照）。
【００２６】
進退動部材２０が吸引ノズル基端側（ベース部材１４側）へ移動すると、横方向吸引路Ｇｃも吸引ノズル基端側に移動し、横方向吸引路ＧｃはＸリング１９よりも上方に位置し、この結果、横方向吸引路Ｇｃは円筒状吸引路Ｇａに連通する。従って、切替機構２４は、進退動部材２０の吸引口Ｍとベース部材１４の吸引口部１２とを連通にしている（図４（ｂ）参照）。
【００２７】
また、本実施形態では、吸引口部１２に連通するエジェクタ部またはアスピレータ部がベース部材１４の内部に配列されており、ベース部材１４の内部に形成される噴流ラインによってエジェクタ部またはアスピレータ部で吸引力を発生させて吸引口部１２に作用させる構成にされている。
【００２８】
具体的には、エジェクタ部またはアスピレータ部へ流れる噴流ラインをベース部材１４内部に形成するために、接続配管３２、３４（図１参照）が、それぞれ、ベース部材１４の上面中央部とベース部材１４の側部とに接続されている。そして、エジェクタ部またはアスピレータ部には、吸引口部１２に連通する吸引路が連通している。なお、接続配管３２は、支持部３０の中心部を貫通している空間Ｚ（図３参照）に挿入されてベース部材１４の上面側に接続されている。
【００２９】
また、ベース部材１４には、吸引ノズル１６を下向きにしたときに上側中央部から上方に延びている略円筒状で肉厚の支持部３０が設けられている。そして、支持部３０を下方へ押圧することで、吸引口部１２の下方に配列された吸引チップＴの装着用開口部Ｔｍに頭部２０ｔが当接して押圧される。この結果、頭部２０ｔがノズル基端側部材１８の方向へ移動（後退移動）して、進退動部材２０とノズル基端側部材１８とが非連通から連通に切り替わるとともにノズル基端側頭部部材１８ｐの先端部１８ｐｔに吸引チップＴが装着されるようになっている。
【００３０】
（作用、効果）
以下、本実施形態の作用、効果を述べる。吸引具１０を使用するには、測定対象の検体および試験管に応じた規格の吸引チップＴを選定する。そして、選定した吸引チップＴを各吸引ノズルに装着する。この吸引チップＴの先端部には、チップ内に液体（検体の上澄み液など）を吸引できるように開口Ｔｓが形成されている。
【００３１】
この装着では、吸引ノズル１６用のラック（図示せず）に吸引ノズル１６を配列し、ラックの上方には吸引具１０を配置する。そして、ベース部材１４の吸引口部１２から吸引ノズル１６に吸引力を及ぼしつつ、進退動部材２０の頭部２０ｔを吸引チップＴの装着用開口部Ｔｍに当接させて吸引具１０を押し下げることで、吸引チップＴが頭部２０ｔに装着される。なお、この一連の装着動作は、装着装置を用いて自動で行っても良いし、手動で行っても良い。手動で行う場合には、支持部３０の外周側がグリップ状になっていることが、各吸引ノズル１６を均一な力で押圧し易くする観点で好ましい。
【００３２】
ここで、吸引チップ用のラックに吸引チップＴを配置する際、不使用吸引ノズル１６ｎに対応する位置には吸引チップＴを配置しない。従って、不使用吸引ノズル１６ｎには吸引チップＴは装着されない。なお、不使用吸引ノズル１６ｎとなる吸引ノズルは、例えば特定位置に一列に並んでいる複数の吸引ノズルである。
【００３３】
吸引チップＴの装着後、ラックに配列された検体収容済の各試験管Ｐ（図６参照）の上方に各吸引ノズル１６がそれぞれ位置するように、吸引具１０を配置する。そして、吸引ノズル１６から空気吸引しつつ吸引具１０を下降させる。下降高さ位置は、不要な上澄み液ＳＬを除去した後（吸引チップ内に吸引した後）に試験管内に残留する検体主部ＳＭに合わせて、予め設定した高さ位置である。
【００３４】
この結果、不使用吸引ノズル１６ｎ以外の吸引ノズル１６では吸引流Ｆ（図５参照）が発生するとともに、各検体の上澄み液ＳＬ内に各吸引チップＴが同時に挿入されて検体の上済み液が吸引チップＴ内に吸い上げられていく（図６参照）。ここで、吸引チップＴ内への検体吸い上げ時には、不使用吸引ノズル１６ｎでは進退動部材２０が延出し端Ｅに位置するので、不使用吸引ノズル１６ｎの吸引口Ｍとベース部材１４の吸引口部１２とは非連通となっている。従って、不使用吸引ノズル１６ｎでは吸引流は発生せず、不使用吸引ノズル１６ｎから空気が吸引されることはない。
【００３５】
このようにして上澄み液ＳＬを吸引した後、吸引具１０を上昇させて試験管Ｐから吸引チップＴを引き出す。その後、残った検体主部ＳＭを分析する。
【００３６】
以上説明したように、本実施形態では、吸引チップＴ内への検体吸い上げ時には、不使用吸引ノズル１６ｎでは、不使用吸引ノズル１６ｎの吸引口Ｍとベース部材１４の吸引口部１２とは非連通となっている。従って、不使用吸引ノズル１６ｎから空気を吸引してしまうことは完全に防止されており、他の吸引ノズル１６の吸引作用に支障が生じることがない。よって、配列された複数の吸引ノズル１６のうち、使用しない吸引ノズル１６では使用者が操作しなくても吸引停止となる簡単な構成の吸引具１０が実現される。
【００３７】
また、ノズル基端側部材１８は、進退動部材２０を挿通させ、かつ、吸引チップＴの装着用開口部Ｔｍを先端側に装着可能なノズル基端側頭部部材１８ｐを備えている。そして吸引チップＴが装着される際には、吸引チップ内側が先端側進退動部材２０ｐに当接して先端側進退動部材２０ｐが後退し、ノズル基端側頭部部材１８ｐの先端側に吸引チップＴが装着される構成になっている。
【００３８】
そして、吸引チップＴを装着する際に、頭部２０ｔが吸引チップＴに押圧されてノズル基端側部材１８に対して上方に相対移動する。そして、ノズル基端側部材１８での上昇端にまで相対移動した後、この相対移動が停止する。この状態では、頭部２０ｔと装着用開口部Ｔｍとが互いに押圧されたことによる嵌合力と、頭部２０ｔからの空気吸引により吸引チップＴが吸引される吸引力との２つの力によって、吸引チップＴが頭部２０ｔに充分な力で保持されている。
【００３９】
また、ベース部材１４には、吸引ノズル１６を下向きにしたときに上側中央部から上方に延びている支持部３０が設けられ、支持部３０を下方へ押圧することで、吸引ノズル１６の下方に配列された吸引チップＴが頭部２０ｔに装着可能である。すなわち、ベース部材１４の上側中央部から支持部３０が延び出しているので、支持部３０を押圧することで各吸引ノズル１６の頭部２０ｔを各吸引チップＴに均等な力で押圧する構成にすることができる。
【００４０】
また、本実施形態では、吸引口部１２に連通するエジェクタ部またはアスピレータ部がベース部材１４の内部に配列され、エジェクタ部またはアスピレータ部で発生する吸引力が吸引口部１２に作用する構成にされている。従って、各吸引口部１２からの吸引力を簡単な構成で均等にすることができる。
【００４１】
＜変形例＞
第１実施形態では、挿通孔１８ｑｈと後部側進退動部材２０ｑとの間に円筒状吸引路Ｇａが形成され、切替機構２４では、横方向吸引路Ｇｃと円筒状吸引路Ｇａとの連通、非連通が切り替えられる構成で説明したが、他の構成で切り替えられる構成にしてもよい。以下、変形例を説明するが、第１実施形態と同様の機能を有する構成要素には同じ名称や符号を用い、その説明を適宜に省略する。
【００４２】
例えば、図７、図８に示すように、吸引ノズル１１６が、ノズル基端側部材１１８と、ノズル基端側部材１１８に対して進退動可能な先端側進退動部材１２０と、進退動部材１２０のノズル基端側に当接する圧縮コイルバネ１２２とを備え、ノズル基端側部材１１８の挿通孔１１８ｑｈ内に圧縮コイルバネ１２２が配置されて進退動部材１２０をノズル先端側へ付勢する構成にしてもよい。
【００４３】
この場合、先端側進退動部材１２０（先端側進退動部材２０ｐに対応する部材）の基端側で延び出している基端側延出し部１２７には側方へ開口する基端側延出し部開口１２７ｍが形成されていて、先端側進退動部材１２０が延出し端に位置するときには吸引ノズル１１６の吸引口Ｍとベース部材１４の吸引口部１２とが非連通であり、先端側進退動部材１２０が吸引ノズル基端側（ベース部材１４側）へ移動すると、基端側延出し部開口１２７ｍを介して吸引口Ｍと吸引口部１２とが連通して吸引流Ｆ（図８）が発生する構成にしてもよい。
【００４４】
［第２実施形態］
次に、第２実施形態を説明する。図９は、本実施形態に係る分注装置を説明する斜視図である。本実施形態に係る分注装置２００は、第１実施形態で説明した吸引具と同様の構成、機能を有する吸引具を備える。以下、説明の便宜上、第１実施形態で付した符号を同じ符号を用いて説明する。
【００４５】
分注装置２００は、吸引ノズル１６に装着されている吸引チップＴ（何れも図４などを参照）を吸引具から落下させるための分離板Ｂ（図１、図４、図７、図８参照）を備える。
【００４６】
この分離板Ｂは、吸引ノズル１６をそれぞれ挿通させる挿通孔１８ｑｈが配列されてノズル基端側部材１８に対して進退動可能に設けられている。
【００４７】
本実施形態では、吸引チップＴを所定の設定配置（例えば、吸引チップの配列、非配列を交互に生じさせた配置）にし、第１実施形態で説明したように、吸引具に装着させる。
【００４８】
そして、吸引チップＴの使用（上澄み液の吸引等）を終えた後、吸引チップＴの落下位置（廃棄位置）にまで吸引具を移動させ、分離板Ｂを吸引ノズル先端側へ移動（すなわち下降移動）させることで、分離板Ｂを吸引チップＴの上縁部に当接させて、先端側進退動部材２０ｐから吸引チップＴを落下させる。
【００４９】
これにより、配列された複数の吸引ノズルのうち、使用しない吸引ノズルでは使用者が操作しなくても吸引停止となる簡単な構成の吸引具を用いて分注することが可能になる。
【００５０】
以上、実施形態を説明したが、これらの実施形態は本発明の技術的思想を具体化するための例示であって、構成部品の材質、形状、構造、配置等を上記実施形態に特定するものではなく、要旨を逸脱しない範囲内で種々変更して実施できる。
【符号の説明】
【００５１】
１０  吸引具
１２  吸引口部
１４  ベース部材
１６  吸引ノズル
１６ｎ  不使用吸引ノズル
１８  ノズル基端側部材
１８ｍ  基端側開口
１８ｐ  ノズル基端側頭部部材
１８ｐｔ  先端部
１８ｑ  ノズル基端側主部部材
１８ｑｈ  挿通孔
１９  Ｘリング
２０  進退動部材
２０ｋ  基部
２０ｐ  先端側進退動部材
２０ｑ  後部側進退動部材
２０ｔ  頭部
２２  圧縮コイルバネ（付勢部材）
２３  受け部
２４  切替機構
２５  Ｅリング
３０  支持部
３２  接続配管
３４  接続配管
１１６  吸引ノズル
１１８  ノズル基端側部材
１１８ｑｈ  挿通孔
１２０  進退動部材
１２２  圧縮コイルバネ
１２７  基端側延出し部
１２７ｍ  基端側延出し部開口
２００  分注装置
Ｂ  分離板
Ｅ  延出し端
Ｆ  吸引流
Ｇａ  円筒状吸引路
Ｇｂ  縦方向吸引路
Ｇｃ  横方向吸引路
Ｈ  保持部
Ｍ  吸引口
Ｐ  試験管
ＳＬ  上澄み液
ＳＭ  検体主部
Ｔ  吸引チップ
Ｔｍ  装着用開口部
Ｔｓ  開口
Ｚ  空間
【図１】
2020142186.tif 000003
【図２】
2020142186.tif 000004
【図３】
2020142186.tif 000005
【図４】
2020142186.tif 000006
【図５】
2020142186.tif 000007
【図６】
2020142186.tif 000008
【図７】
2020142186.tif 000009
【図８】
2020142186.tif 000010
【図９】
2020142186.tif 000011